(57)【特許請求の範囲】
【請求項１】
天板(5)に、一端を該天板(5)にヒンジ状に連結し、前記天板(5)の周端部近傍に位置する他端であるプルタブ先端部(12)から引き上げることにより、開口部(6)を開放する略矩形状のプルタブ片(7)を設け、周端部に前記プルタブ先端部(12)を引き上げるための摘み片(16)を形成したカバーフィルム(15)を、前記摘み片(16)が天板(5)の周端縁の前記プルタブ先端部(12)に対向する位置から突き出した状態になるよう、前記天板(5)の上面全域に接着層(18)を介して積層し、前記摘み片(16)によるプルタブ先端部(12)の引き上げ操作による、該プルタブ片(7)の互いに平行に位置する両側端縁(11)に沿っての前記カバーフィルム(15)の引き裂きにより、前記プルタブ片(7)の引き上げを可能とした、プルタブ付き容器。
【請求項２】
カバーフィルム(15)を延伸フィルムから形成し、該カバーフィルム(15)の延伸方向を引き裂き方向に合わせた、請求項１記載のプルタブ付き容器。
【請求項３】
カバーフィルム(15)の摘み片(16)の形成基端部に、該カバーフィルム(15)の引き裂き方向へ、プルタブ片(7)の両側端縁(11)間の幅に合わせて一対の切り込み(17)を形成した、請求項１または２記載のプルタブ付き容器。
【請求項４】
カバーフィルム(15)をインモールドで天板(5)に積層した、請求項１、２または３記載のプルタブ付き容器
【請求項５】
摘み片(16)の裏面に離型剤を塗布した、請求項４記載のプルタブ付き容器。
【請求項６】
プルタブ片(7)をヒンジ状連結部(8)と破断溝(9)により天板(5)の一部に区画形成した、請求項１、２、３、４または５記載のプルタブ付き容器。
【請求項７】
プルタブ片(7)を開放した状態でその姿勢を固定するための係止片(10)を天板(5)の上面に設けた、請求項１、２、３、４、５または６記載のプルタブ付き容器。
【請求項８】
カバーフィルム(15)をガスバリア性フィルムから形成した、請求項１、２、３、４、５、６、または７記載のプルタブ付き容器。
【発明の詳細な説明】
【０００１】
【発明の属する技術分野】
本発明は、プルオープン式の容器の飲み口、あるいは注出口を有する容器に関するものである。
【０００２】
【従来の技術】
特開平７−３３１４５号公報には、天板部に飲み口となる開口部をあらかじめ設け、これをプルタブで密封しておき、飲むときは、プルタブを剥離して開口部を露出させ、開口部にストローを差し込むかあるいは直接開口部に口を当てて飲む液体容器についての記述がある。
【０００３】
【発明が解決しようとする課題】
しかしながら、上記のような従来技術では、開封の有無の確認がしづらく、使用途中に開口部を塞いで、保持することが困難である等の問題があった。
【０００４】
本発明は、上記した従来技術における問題点を解決するために創案されたもので、使用前の密封性の保持、開封の有無の確認が確実にでき、かつ開口部の開放が容易にでき、さらに使用の途中段階で開口部を簡易的に塞ぐことができるようにすることを技術的課題とし、もって、安全性、衛生性、取り扱い性、商品性に優れた容器を提供することを目的とする。
【０００５】
【課題を解決するための手段】
上記技術的課題を解決する本発明のうち、請求項１記載の発明の手段は、
天板に、一端を天板にヒンジ状に連結し、天板の周端部近傍に位置する他端であるプルタブ先端部から引き上げることにより、開口部を開放する略矩形状のプルタブ片を設けること、
周端部に、プルタブ先端部を引き上げるための摘み片を形成したカバーフィルムを、摘み片が天板の周端縁のプルタブ先端部に対向する位置から突き出した状態になるよう、天板の上面全域に接着層を介して積層すること、
摘み片によるプルタブ先端部の引き上げ操作による、プルタブ片の互いに平行に位置する両側端縁に沿ってのカバーフィルムの引き裂きにより、プルタブ片の引き上げを可能とすること、
にある。
【０００６】
請求項１記載の発明の上記構成により、天板の全域を接着層を介して、カバーフィルムで積層した構成であり、プルタブ片の部分も確実にカバーフィルムで積層されており、内容物の密閉性を確実に保持することができる。
【０００７】
また、カバーフィルムを引き裂きながら、プルタブ片を引上げ、開口部を開放するので、カバーフィルムの引き裂きの有無により、開封の有無を確実に確認することができる。
【０００８】
プルタブ片は、その一端を天板にヒンジ状に連結されているので、まだ内容物が容器内に残った途中の段階においても、このプルタブ片を元に戻し、簡易的に開口部を塞ぐことができ、たとえばこの容器を運んだりする取り扱いが容易であり、またゴミ等の浸入も防ぐことができる。
【０００９】
摘み片を引き上げることにより、カバーフィルムの引き裂きと、開口部の開放を同時に達成でき、またプルタブ片の側端縁に沿って引き裂きを進展させるので、側端縁近傍においてもカバーフィルムと天板との剥離をほとんどさせることなく、開口部の開放を達成することができるので、容易に開放操作を実施でき、開放後において、開口部近傍にも接着層の露出をほとんど無くすことができる。
【００１０】
請求項２記載の発明の手段は、請求項１記載の発明において、積層するカバーフィルムを延伸フィルムから形成し、このカバーフィルムの延伸方向を引き裂き方向に合わせること、にある。
【００１１】
請求項２記載の発明の上記構成により、カバーフィルムは延伸方向に分子が配向した状態であり、この配向方向に沿って引き裂きが容易に進展するので、摘み片の引き上げ操作によるカバーフィルムのプルタブ片の側端縁に沿っての直線的な引き裂きを容易に実現することができ、また、その切り口近傍における局部的な延伸によりギザギザ状の部分が発生する現象や、天板あるいはプルタブ片とカバーフィルムとが部分的に剥がれる現象もなく、外観も良好であり、口を付けて内容物を飲む際の違和感もなくすことができ、衛生的でもある。
【００１２】
さらに、摘み片を引き上げ、カバーフィルムを引き裂きながら、プルタブ片を引き上げる際には、カバーフィルムの延伸方向に力が懸るので、摘み片の伸びによる変形を防止することができる。
【００１３】
請求項３記載の発明の手段は、請求項１または２の発明において、カバーフィルムの摘み片の形成基端部に、カバーフィルムの引き裂き方向へ、プルタブ片の両側端縁間の幅に合わせて一対の切り込みを形成すること、にある。
【００１４】
請求項３記載の発明の上記構成により、通常では、カバーフィルムの引き裂きでは、最初の切り込みを発生させるために相当の力を必要として、またカバーフィルムが伸びた状態になり易いが、引き裂き方向への切り込みのため、引き裂きを容易にスタートすることが可能となり、またプルタブ片の両側の側端縁間の幅に合わせ、かつ引き裂き方向へ合わせて切り込みを形成しているので、プルタブ片の側端縁に沿っての直線的な引き裂きを容易に実現することができる。
【００１５】
請求項４記載の発明の手段は、請求項１、２または３の発明において、カバーフィルムをインモールドで天板に積層すること、にある。
【００１６】
請求項４記載の発明の上記構成により、インモールドで容器の成形工程と同時にカバーフィルムの積層を実現でき、容易に、強固で、皺等の発生の無い、均一な接着を達成することができ、また積層のための別工程を必要とせず、製造コストを低くすることも可能である。
【００１７】
請求項５記載の発明の手段は、請求項４記載の発明において、摘み片の裏面に離型剤を塗布すること、にある。
【００１８】
請求項5記載の発明の上記構成により、摘み片は天板の周端部から突き出た状態にあるが、裏面に離型剤を塗布することにより、インモールド成形の際にこの摘み片が容器の一部に融着することを防ぎ、インモールド成形をスムーズに達成することができる。
【００１９】
請求項６記載の発明の手段は、請求項１、２、３、４または５記載の発明において、プルタブ片をヒンジ状連結部と破断溝により天板の一部に区画形成すること、にある。
【００２０】
請求項６記載の発明の上記構成により、使用前の状態では、プルタブ片はその全周端部が天板と連結した状態であるので、天板の密閉性をより確実に保持することが可能であり、またプルタブ片の閉状態での姿勢が安定している。
【００２１】
請求項７記載の発明の手段は、請求項１、２、３、４、５または６の発明において、プルタブ片を開放した状態でその姿勢を固定するための係止片を天板の上面に設けることにある。
【００２２】
請求項７記載の発明の上記構成により、引き上げたプルタブ片を一定の位置に固定することができ、内容物を飲む等の場合に、プルタブ片が邪魔することがなくなる。
【００２３】
請求項８記載の発明の手段は、請求項１、２、３、４、５、６または７の発明において、カバーフィルムをガスバリア性フィルムから形成すること、にある。
【００２４】
請求項８記載の発明の上記構成により、例えば外部からの酸素の浸入を防ぎ、保存安定性を得ることができ、また内部の香り成分、臭気成分の外部への拡散をより確実に防止することができる。
【００２５】
【発明の実施の形態】
以下、本発明の実施例を、図面を参照しながら説明する。
図１ないし図６は、本発明のプルタブ付き容器の第１実施例を示すもので、合成樹脂製であり、底部２、円筒状の胴部３、蓋部４から形成され、胴部３の上端面、および蓋部４の下端面に外鍔状にそれぞれ設けられた両フランジを超音波融着法により融着し胴部３と蓋部４を密封組付き固定している。
【００２６】
蓋部４の天板５は円形状であり、その略中央部において一端をヒンジ状連結部８により天板に連結し、他端であるプルタブ先端部１２を天板５の周端部近傍に位置させた略長方形状のプルタブ片７が形成されており、このプルタブ片７を引き上げることにより、開口部６を開放することができ、またこのプルタブ片７は閉じた状態で、その上面が、天板５の上面と同一平面になるように構成されている。
【００２７】
また、天板５の上面には引き上げたプルタブ片７を固定するため、一対の係止片１０が付設されている。
【００２８】
カバーフィルム１５は延伸フィルムから形成し、その形状は天板５と同じ径の円形状であり、周端部の突設方向が延伸方向と一致する位置にプルタブ片７と同じ幅を有する摘み片１６が突設され、上記一対の係止片１０が嵌入するための孔が2箇所に形成されており、また摘み片１６の基端部にはカバーフィルム１５の延伸方向に、プルタブ片７の幅に合わせて一対の切り込み１７が形成されている（図３参照）。
【００２９】
カバーフィルム１５は、その延伸方向がプルタブ片７の側端縁１１の方向と一致し、摘み片１６が天板５の周端縁の、プルタブ片７のプルタブ先端部１２に対向する位置から突き出した状態になるように、下面に積層された接着層１８を介して、ホットシール方法により、係止片１０が嵌入する部分を除く天板５の上面全域に接着され、天板５の密封性を確保する。
【００３０】
本実施例のように、摘み片１６の形成基端部に切り込み１７を形成すれば、無延伸フィルムも充分使うことができるが、以下に述べる引き裂き性、強度の等の観点から好ましくは延伸フィルムを使用する。
【００３１】
一方向への引き裂き易さの点からは、一軸延伸フィルムの使用が好ましいが、二軸延伸フィルムであっても、例えば、縦横の延伸倍率を変えて一方に引き裂き易い性質を持たせ、この方向を引き裂き方向に合わせることにより、本発明の目的は充分達成することができる。
【００３２】
延伸フィルムとしては、たとえば延伸ＰＥＴフィルム、延伸ポリエチレンフィルム、延伸ポリプロピレンフィルム（ＯＰＰ）、延伸ナイロンフィルム（ＯＮＹ）等を使用することができ、接着性、一方向への引き裂き性、強度、透明性、印刷性、ガスバリア性、外観等の観点から目的に応じて最適な樹脂、延伸状態を選択することができる。
【００３３】
また、特にガスバリア性を要する場合には、ガスバリア性の高いたとえば、エチレンビニルアルコール共重合体、ポリアクリロニトリル、ナイロンＭＸＤ、塩化ビニリデン等の樹脂からなるフィルムを使用することができ、この際、必要に応じてガスバリア性の高い樹脂からなるフィルム層を有した積層フィルムも使用することも可能である。
【００３４】
さらに、例えば、外層、中間層、内層がそれぞれ、一方向への引き裂き性に優れた延伸フィルム、ガスバリア性の高い未延伸フィルム、接着性に優れたフィルムから構成される積層フィルムも、目的に応じて使用することができる。
【００３５】
接着層としては、ホットシールタイプのものを用いることが好ましく、例えば低密度ポリエチレン、エチレン−酢酸ビニル共重合体等の使用が可能であり、接着強度と剥離性のバランス、接着工程の観点から目的に応じて選択する。
【００３６】
次に、上記した、プルタブ付き容器の一使用形態を説明する。
まず、容器本体１に、例えば飲み物等の液体を充填し、カバーフィルム１５を積層した蓋部４を超音波融着により融着するが、この状態で容器全体の密封性が確保されている。
【００３７】
飲み物を飲む場合等には、摘み片１６を指で摘むようにして引き上げるが、切り込み１７によりカバーフィルム１５の引き裂きがスムーズに開始され、つぎにプルタブ片７のプルタブ先端部１２に引き上げ力が作用し、これによりカバーフィルム１５のプルタブ片７の側縁部１１に沿っての引き裂きが進行、ヒンジ状連結部８の位置まで達する。
【００３８】
この際、プルタブ片７の引き上げ時には、カバーフィルム１５の延伸方向に力が懸るので、摘み片１６の伸びによる変形を防止することができる。
【００３９】
また、プルタブ片７の側端縁１１に沿って引き裂きを進展させるので、側端縁１１近傍においても、カバーフィルム１５と天板５との剥離をほとんどさせること無く、開口部６の開放を達成することができ、またカバーフィルム１５の延伸方向が、側縁部１１の方向と一致しているので、開口操作を容易に、確実に実施することができる。
【００４０】
さらに、上記のように側端縁近傍においても剥離がほとんど無いので、開放後にも接着層１８の露出をほとんど無くすことができ、またカバーフィルム１５の局部的な延伸によるギザギザ状部分が発生する現象や、天板５あるいはプルタブ片７とカバーフィルム１５とが部分的に剥がれる現象もなく、外観が良好であり、口を付けて内容物を飲む際の違和感、不快感をなくすことができる。
【００４１】
使用中には、必要に応じてプルタブ片７を係止片１０で固定しておけば、邪魔にならないので、便利である（図６（ｂ）参照）。
【００４２】
また、プルタブ片７は、その一端を天板５にヒンジ状に連結されているので、まだ内容物が容器内に残った途中の段階においても、このプルタブ片７を元に戻し、簡易的に開口部６を塞ぐことができ、たとえばこの容器を運んだりする取り扱いが容易であり、またゴミ等の浸入も防ぐことができ衛生的にも良好な取り扱いができる。
【００４３】
この際、必要に応じて、開口部６を塞いだ状態でプルタブ片７を係止する、係止構造を付設しておけば、より確実に開口部を閉じることができる。
【００４４】
本実施例においては、成形した蓋部４の天板５に、別工程でカバーフィルム５をホットシール法により積層する方法を記述したが、インモールドによる接着方式も採用することができ、この場合には、摘み片１６の裏面に離型剤を塗布しておき、インモールド成形中における摘み片１６の容器の他の部分への融着を防止することが好ましい。
【００４５】
図７ないし図９は、本発明のプルタブ付き容器の第2実施例であり、円板状の底蓋２０を容器本体１に超音波接着した構成であり、有頂円筒状の容器本体１の頂壁を天板５とし、カバーフィルム１５、係止片１０等の構成は、第１実施例と略同様の構成である。
【００４６】
プルタブ片７については、第１実施例では一辺のみがヒンジ状連結部８により天板５に連結し、他の３辺は天板５との間にスリット状の隙間を形成した構成であるが、本第２実施例ではプルタブ片７を、ヒンジ状連結部８と、３辺の肉厚を薄くした破断溝９により天板５の一部に区画形成している（図８，９参照）。
【００４７】
このような構成とすることにより、より確実に天板５の密封性を確保することができ、開口部６を開放する際には、摘み片１６の引き上げ操作により、カバーフィルム１５を引き裂くと同時に、破断溝９を引き裂きながらプルタブ片７を引き上げる。
【００４８】
【発明の効果】
本発明は、上記した構成と成っているので、以下に示す効果を奏する。
請求項１記載の発明は、天板の全域に接着層を介して、カバーフィルムで積層した構成であり、プルタブ片の部分も確実にカバーフィルムで積層されており、内容物の密閉性を確実に保持することができる。
【００４９】
また、カバーフィルムを引き裂きながら、プルタブ片を引上げ、開口部を開放するので、このカバーフィルムの引き裂きの有無により、開封の有無を確実に確認することができる。
【００５０】
また、摘み片を引き上げることにより、カバーフィルムの引き裂きと、開口部の開放を同時に達成でき、またプルタブ片の側端縁に沿って引き裂きを進展させるので、側端縁近傍においてもカバーフィルムと天板との剥離をほとんどさせること無く、開口部の開放を達成することができるので、容易に開放操作を実施でき、開放後にも接着層の露出をほとんど無くすことができる。
【００５１】
また、プルタブ片は、その一端を天板にヒンジ状に連結されているので、まだ内容物が容器内に残った途中の段階においても、このプルタブ片を元に戻し、簡易的に開口部を塞ぐことができ、たとえばこの容器を運んだりする取り扱いが容易であり、またゴミ等の浸入も防ぐことができる。
【００５２】
請求項２記載の発明は、積層するカバーフィルムを延伸フィルムから形成することにより、カバーフィルムのプルタブ片の側端縁に沿っての直線的な引き裂きを容易に実現することができ、外観も良好であり、口を付けて内容物を飲む際の違和感もなくすことができ、またプルタブ片の引き上げ操作の際、摘み片の変形をなくすことができる。
【００５３】
請求項３記載の発明は、摘み片の形成基端部にプルタブ片の両側端縁の幅に合わせて、一対の切り込みを形成することにより、カバーフィルムの引き裂きを、容易にスタートすることができ、また引き裂き進展方向を賦与されているので、プルタブ片の側端縁に沿っての直線的な引き裂きを、より容易に実現することができる。
【００５４】
請求項４記載の発明は、カバーフィルムを、インモールドで天板に積層することにより、容易に、強固で、皺等の発生の無い、均一な接着を達成することができ、また積層のための専用の別工程を必要とせず、これにより製造コストを低くすることもできる。
【００５５】
請求項５記載の発明は、摘み片の裏面に離型剤を塗布することにより、インモールド成形の際に、この摘み片が容器の一部に融着することを防ぎ、インモールド成形をスムーズに達成することができる。
【００５６】
請求項６記載の発明は、プルタブ片をヒンジ状連結部と破断溝により天板の一部に区画形成することにより、使用前の、天板の密閉性をより確実に保持することができ、またプルタブ片の閉状態での姿勢を安定させることができる。
【００５７】
請求項７記載の発明は、プルタブ片を開放した状態で、その姿勢を固定するための係止片を、天板の上面に設けることにより、引き上げたプルタブ片を一定の位置に固定することができ、内容物を飲む等の場合に、プルタブ片が邪魔することがなくなる。
【００５８】
請求項８記載の発明は、カバーフィルムをガスバリア性フィルムから形成することにより、外部からの酸素の浸入を防ぎ、保存安定性を得ることができ、また内部の香り成分、臭気成分の外部への拡散をより確実に防止することができる。
【図面の簡単な説明】
【図１】本発明のプルタブ付き容器の第１実施例を分解して示す、全体斜視図。
【図２】本発明のプルタブ付き容器の第１実施例示す、全体斜視図。
【図３】本発明のプルタブ付き容器の第１実施例を示す、平面図。
【図４】図３のＡ−Ａ線に沿って切断して示した、蓋部の縦断面図。
【図５】図３のＢ−Ｂ線に沿って切断して示した、蓋部の縦断面図。
【図６】本発明のプルタブ付き容器の第１実施例において、プルタブ片を引き上げた状態を示す、全体斜視図。
【図７】本発明のプルタブ付き容器の第２実施例を分解して示す、全体斜視図。
【図８】図７のＣ−Ｃ線に沿って切断して示した、天板近傍の縦断面図。
【図９】図７のＤ−Ｄ線に沿って切断して示した、天板近傍の縦断面図。
【符号の説明】
１  ；  容器本体
２  ；  底部
３  ；  胴部
４  ；  蓋部
５  ；  天板
６  ；  開口部
７  ；  プルタブ片
８  ；  ヒンジ状連結部
９  ；  破断溝
１０；  係止片
１１；  側端縁
１２；  プルタブ先端部
１５；  カバーフィルム
１６；  摘み片
１７；  切り込み
１８；  接着層
２０；  底蓋
【図１】
0004061614.tif 000002
【図２】
0004061614.tif 000003
【図３】
0004061614.tif 000004
【図４】
0004061614.tif 000005
【図５】
0004061614.tif 000006
【図６】
0004061614.tif 000007
【図７】
0004061614.tif 000008
【図８】
0004061614.tif 000009
【図９】
0004061614.tif 000010